【事件の表示】
　商願２００５−　１２１４７拒絶査定不服審判事件について、次のとおり審決する。
【結　論】
　原査定を取り消す。
　本願商標は、登録すべきものとする。
【理　由】
１　本願商標
　本願商標は、別掲１のとおりの構成よりなり、第９類、第３５類、第３８類、第４１類及び第４２類に属する願書に記載のとおりの商品及び役務を指定商品及び指定役務として、平成１７年２月１５日に登録出願、その後、原審における同年８月３１日付けの手続補正書により、第９類「耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極，消防艇，ロケット，消防車，自動車用シガーライター，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，通信ネットワークを通じてダウンロード可能な音声・音楽・画像及び映像（静止画及び動画を含む。），その他のダウンロード可能な音声・音楽・画像及び映像（静止画及び動画を含む。），レコード，メトロノーム，電子楽器用自動演奏プログラムを記憶させた電子回路及びＣＤ−ＲＯＭ，計算尺，映写フィルム，スライドフィルム，スライドフィルム用マウント，録音又は録画済みビデオディスク・ビデオテープ・ＣＤ−ＲＯＭ及びＤＶＤ，通信ネットワークを通じてダウンロード可能な電子出版物，その他の電子出版物」、第３５類「広告，トレーディングスタンプの発行，経営の診断又は経営に関する助言，市場調査，商品の販売に関する情報の提供，ホテルの事業の管理，財務書類の作成，職業のあっせん，競売の運営，輸出入に関する事務の代理又は代行，新聞の予約購読の取次ぎ，速記，筆耕，書類の複製，文書又は磁気テープのファイリング，電子計算機・タイプライター・テレックス又はこれらに準ずる事務用機器の操作，建築物における来訪者の受付及び案内，広告用具の貸与，タイプライター・複写機及びワードプロセッサの貸与，求人情報の提供，自動販売機の貸与」、第３８類「電気通信（放送を除く。），インターネットによる映像及びそれに伴う音声その他音響を送る放送，その他の放送，報道をする者に対するニュースの供給，電話機・ファクシミリその他の通信機器の貸与」、第４１類「当せん金付証票の発売，技芸・スポーツ又は知識の教授，献体に関する情報の提供，献体の手配，セミナーの企画・運営又は開催，動物の調教，植物の供覧，動物の供覧，通信ネットワークを利用して行う電子出版物の提供，その他の電子出版物の提供，図書及び記録の供覧，美術品の展示，庭園の供覧，洞窟の供覧，書籍の制作，通信ネットワークを利用して行う音声・音楽の提供，通信ネットワークを利用して行う画像及び映像（静止画及び動画を含む。）の提供，映画・演芸・演劇又は音楽の演奏の興行の企画又は運営，映画の上映・制作又は配給，演芸の上演，演劇の演出又は上演，音楽の演奏，放送番組の制作，教育・文化・娯楽・スポーツ用のビデオ・ＣＤ−ＲＯＭ及びＤＶＤの制作（映画・放送番組・広告用のものを除く。），放送番組の制作における演出，映像機器・音声機器等の機器であって放送番組の制作のために使用されるものの操作，スポーツの興行の企画・運営又は開催，興行の企画・運営又は開催（映画・演芸・演劇・音楽の演奏の興行及びスポーツ・競馬・競輪・競艇・小型自動車競走の興行に関するものを除く。），競馬の企画・運営又は開催，競輪の企画・運営又は開催，競艇の企画・運営又は開催，小型自動車競走の企画・運営又は開催，音響用又は映像用のスタジオの提供，運動施設の提供，娯楽施設の提供，映画・演芸・演劇・音楽又は教育研修のための施設の提供，興行場の座席の手配，映画機械器具の貸与，映写フィルムの貸与，楽器の貸与，運動用具の貸与，テレビジョン受信機の貸与，ラジオ受信機の貸与，図書の貸与，レコードの貸与，録音又は録画済み磁気テープ・ビデオディスク・ＣＤ−ＲＯＭ及びＤＶＤの貸与，ネガフィルムの貸与，ポジフィルムの貸与，おもちゃの貸与，遊園地用機械器具の貸与，遊戯用器具の貸与，書画の貸与，写真の撮影，通訳，翻訳，カメラの貸与，光学機械器具の貸与」及び第４２類「気象情報の提供，建築物の設計，測量，地質の調査，機械・装置若しくは器具（これらの部品を含む。）又はこれらの機械等により構成される設備の設計，デザインの考案，電子計算機のプログラムの設計・作成又は保守，電子計算機・自動車その他その用途に応じて的確な操作をするためには高度の専門的な知識・技術又は経験を必要とする機械の性能・操作方法等に関する紹介及び説明，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，著作権の利用に関する契約の代理又は媒介，社会保険に関する手続の代理，計測器の貸与，電子計算機の貸与，電子計算機用プログラムの貸与，電子計算機用プログラムの提供，理化学機械器具の貸与，製図用具の貸与」と補正されたものである。
　　　
２　引用商標
　原査定において、本願の拒絶の理由に引用した登録商標は、以下のとおりである。
（１）登録第４４２３２０２号商標（以下「引用商標１」という。）は、別掲２のとおりの構成よりなり、平成１１年３月５日に登録出願、第９類及び第４１類に属する商標登録原簿に記載の商品及び役務を指定商品及び指定役務として、同１２年１０月６日に設定登録されたものである。
（２）登録第４７９８６８４号商標（以下「引用商標２」という。）は、別掲３のとおりの構成よりなり、平成１５年１２月１９日に登録出願、第９類に属する商標登録原簿に記載のとおりの商品を指定商品として、同１６年８月２７日に設定登録されたものである。　　　
（３）登録第４８６６９１１号商標（以下「引用商標３」という。）は、別掲４のとおりの構成よりなり、平成１６年７月６日登録出願、第９類、第３６類及び第３８類に属する商標登録原簿に記載のとおりの商品及び役務を指定商品及び指定役務として、同１７年５月２７日に設定登録されたものである。
　以下、まとめていうときは「引用各商標」という。　　　
　　　　　
３　当審の判断
　本願商標は、別掲のとおり、テレビを擬人化した図形と、その下部に、ロゴ化された欧文字による「Ｏｎ　Ｄｅｍａｎｄ　ＴＶ」と、ロゴ化された片仮名文字による「オンデマンドＴＶ」の二段併記を組み合わせてなるものである。
　そして、上部中央に配されたテレビを擬人化した図形、そして、その下部に配された「Ｏｎ　Ｄｅｍａｎｄ　ＴＶ」及び「オンデマンドＴＶ」の文字は、全体がまとまりよく一体に表示されているものであり、該文字全体より生ずる「オンデマンドティーブィ」の称呼も、淀みなく一連に称呼し得るものである。
　そして、その構成中の「Ｏｎ　Ｄｅｍａｎｄ」及び「オンデマンド」の文字部分は、「請求（要求）あり次第」の意であり、近年、「注文対応．受注対応．インターネットで，利用者の求めに応じて，音声・画像を提供するサービス」（イミダス２００５　株式会社集英社　発行）の意として、取引者・需要者間に広く認識されているものであり、さらにコンピュータや周辺機器の充実に伴い、読者の要求ごとに書籍を印刷・販売する「オンデマンド出版」など、インターネットと関係の薄い分野でも、新たな形態のオンデマンド商品やサービスが開発されている実情があることよりすれば、該文字は、本願の指定商品及び指定役務との関係において、自他商品及び役務の識別標識としての機能がないか、あるいは、あったとしても弱いものといえるから、かかる構成にあっては、殊更、該「Ｏｎ　Ｄｅｍａｎｄ」及び「オンデマンド」の文字部分のみを分離抽出して、これより生ずる称呼のみをもって取引に資することはないというのが相当である。
　してみれば、本願商標より、単に「オンデマンド」の称呼をも生ずるとし、その上で、本願商標と引用各商標が称呼上類似するとして、本願商標を商標法第４条第１項第１１号に該当するとした原査定は、妥当なものでなく、取消しを免れない。
　その他、政令の定める期間内に本願についての拒絶の理由を発見しない。
　よって、結論のとおり審決する。